(57)【要約】【課題】  通話時におけるネットワーク上のトラフィックを過大にすることなく、高い品質の画像を再現可能にファクシミリ信号を送信することが可能なネットワーク装置を提供する。【解決手段】  ＩＰ電話アダプタ１の処理部１１は、ＦＡＸ装置７がオフフックである旨を検出すると、識別部１６から入力されるＤＴＭＦ信号の識別結果が示す電話番号が、ＦＡＸ装置の電話番号として処理部１１に予め登録された電話番号と一致するか否かを判定することでＦＡＸ装置７の通信対象がＦＡＸ装置であるか否かを判定し、ＦＡＸ装置であると判定した場合にのみ、変換部１５の変換周期を第１周期よりも短い第２周期に設定すると共に、変換部１５から入力されるデータを第１データ量よりも小さい第２データ量毎にＩＰパケットに格納し、インターネット２へ送信する（Ｓ１０，Ｓ１５，Ｓ２５）。【選択図】図２
2005341620.tif 000002
【特許請求の範囲】
【請求項１】
端末装置とネットワークとに接続され、該ネットワークを介した、前記端末装置と該端末装置の通信対象との通信を確立するネットワーク装置であって、
前記端末装置から入力されるアナログ形式の入力信号を一定の周期毎にデジタル形式のデータに変換する変換手段と、
該データを予め指定された第１のデータ量毎にパケットに格納し、該パケットを前記通信対象へ送信する第１の送信手段と、
前記データを前記第１のデータ量よりも小さい第２のデータ量毎にパケットに格納し、該パケットを前記通信対象へ送信する第２の送信手段と、
前記通信対象がファクシミリ装置であるか否かを判定し、ファクシミリ装置でないと判定した場合には、前記第１の送信手段を作動させ、ファクシミリ装置であると判定した場合には、前記第２の送信手段を作動させる切替手段と
を備えることを特徴とするネットワーク装置。
【請求項２】
端末装置とネットワークとに接続され、該ネットワークを介した、前記端末装置と該端末装置の通信対象との通信を確立するネットワーク装置であって、
前記端末装置から入力されるアナログ形式の入力信号を予め設定された第１の周期毎にデジタル形式のデータに変換する第１の変換手段と、
前記入力信号を予め設定された、前記第１の周期よりも短い第２の周期毎にデジタル形式のデータに変換する第２の変換手段と、
前記データを一定のデータ量毎にパケットに格納し、該パケットを前記通信対象へ送信する送信手段と、
前記通信対象がファクシミリ装置であるか否かを判定し、ファクシミリ装置でないと判定した場合には、前記第１の変換手段を作動させ、ファクシミリ装置であると判定した場合には、前記第２の変換手段を作動させる切替手段と
を備えることを特徴とするネットワーク装置。
【請求項３】
端末装置とネットワークとに接続され、該ネットワークを介した、前記端末装置と該端末装置の通信対象との通信を確立するネットワーク装置であって、
前記端末装置から入力されるアナログ形式の入力信号を予め設定された第１の周期毎にデジタル形式のデータに変換する第１の変換手段と、
前記入力信号を予め設定された、前記第１の周期よりも短い第２の周期毎にデジタル形式のデータに変換する第２の変換手段と、
前記データを予め指定された第１のデータ量毎にパケットに格納し、該パケットを前記通信対象へ送信する第１の送信手段と、
前記データを前記第１のデータ量よりも小さい第２のデータ量毎にパケットに格納し、該パケットを前記通信対象へ送信する第２の送信手段と、
前記通信対象がファクシミリ装置であるか否かを判定し、ファクシミリ装置でないと判定した場合には、前記第１の変換手段と前記第１の送信手段とを作動させ、ファクシミリ装置であると判定した場合には、前記第２の変換手段と前記第２の送信手段とを作動させる切替手段と
を備えることを特徴とするネットワーク装置。
【請求項４】
前記切替手段は、
前記端末装置から入力される前記通信対象の宛先を示す宛先情報が、ファクシミリ装置の宛先として予め登録された登録情報と一致する場合に、前記通信対象がファクシミリ装置であると判定する
ことを特徴とする請求項１乃至請求項３いずれか記載のネットワーク装置。
【請求項５】
前記切替手段は、
前記通信対象がファクシミリ装置である旨を示す指定信号を前記端末装置から入力された場合に、前記通信対象がファクシミリ装置であると判定する
ことを特徴とする請求項１乃至請求項３いずれか記載のネットワーク装置。
【発明の詳細な説明】
【技術分野】
【０００１】
本発明は、端末装置とネットワークとに接続され、該ネットワークを介した、端末装置と該端末装置の通信対象との通信を確立するネットワーク装置に関する。
【背景技術】
【０００２】
近年、電話機とＩＰネットワークとに接続され、ＩＰネットワークを介した、電話機と該電話機の通話対象との通話を確立するＩＰ電話アダプタが広く普及してきている。
このＩＰ電話アダプタは、一般的に、電話機から入力されるアナログ形式の音声信号を一定の周期毎にデジタル形式の音声データに変換し、この音声データを一定のデータ量毎にＩＰパケットに格納して、電話機の通話対象へ送信するように構成されている（例えば、非特許文献１を参照）。
【０００３】
尚、ＩＰ電話アダプタは、通話の遅延時間を短くするために、ＩＰネットワーク上でパケットが欠落しても、欠落したパケットの再送信を行わないように設定されている。
【非特許文献１】「日経ＮＥＴＷＯＲＫ２００３年７月号」，株式会社日経ＢＰ，２００３年６月２２日発行Ｎｏ．３９，ｐ．９６〜ｐ．９７
【発明の開示】
【発明が解決しようとする課題】
【０００４】
ところで、上述した従来のＩＰ電話アダプタにファクシミリ装置を接続して、ＩＰネットワークを介したファクシミリ信号の送信を行った場合、ＩＰネットワーク上でパケットが欠落すると、欠落したパケットに格納されていたファクシミリ信号が示す画像をファクシミリ信号の受信側で再現できず、ファクシミリ信号の受信側で再現した画像の品質がその分低くなってしまうことが考えられる。
【０００５】
ここで、これを解決するために、パケット１つ分あたりに格納するデータ量を従来よりも小さくするようにＩＰ電話アダプタを設定することで、パケットが欠落しても、多くのデータが欠落してしまうことを防止でき、ひいては、ファクシミリ信号の受信側で再現した画像の品質が大きく低下してしまうことを防止できることが考えられる。
【０００６】
しかしながら、このように設定したＩＰ電話アダプタでは、同一のデータ量に対して送信すべきパケットの数が従来よりも多くなってしまうため、ファクシミリ信号の送信が完了するまでに要する時間よりも多くの時間を要することが多い電話機の通話に用いた場合には、ＩＰネットワーク上のトラフィックを長時間過大にしてしまうことが考えられる。
【０００７】
そこで、本発明は、通話時におけるネットワーク上のトラフィックを過大にすることなく、高い品質の画像を再現可能にファクシミリ信号を送信することが可能なネットワーク装置を提供することを目的とする。
【課題を解決するための手段】
【０００８】
上記目的を達成するためになされた請求項１記載の発明は、端末装置とネットワークとに接続され、該ネットワークを介した、端末装置と該端末装置の通信対象との通信を確立するネットワーク装置であって、端末装置から入力されるアナログ形式の入力信号を一定の周期毎にデジタル形式のデータに変換する変換手段と、該データを予め指定された第１のデータ量毎にパケットに格納し、該パケットを通信対象へ送信する第１の送信手段と、データを第１のデータ量よりも小さい第２のデータ量毎にパケットに格納し、該パケットを通信対象へ送信する第２の送信手段と、通信対象がファクシミリ装置であるか否かを判定し、ファクシミリ装置でないと判定した場合には、第１の送信手段を作動させ、ファクシミリ装置であると判定した場合には、第２の送信手段を作動させる切替手段とを備えることを特徴とする。
【０００９】
このネットワーク装置では、変換手段が、端末装置から入力されるアナログ形式の入力信号を一定の周期毎にデジタル形式のデータに変換し、切替手段が、通信対象がファクシミリ装置であるか否かを判定し、ファクシミリ装置でないと判定した場合には、第１の送信手段を作動させ、第１の送信手段が、データを第１のデータ量毎にパケットに格納し、通信対象へ送信する一方、ファクシミリ装置であると判定した場合には、第２の送信手段を作動させ、第２の送信手段が、データを第１のデータ量よりも小さい第２のデータ量毎にパケットに格納し、通信対象へ送信する。
【００１０】
つまり、このネットワーク装置では、端末装置の通信対象がファクシミリ装置でなく電話機からなる場合には、パケットに格納するデータ量を小さくすることがなく、より多くのパケットを送信することがないため、端末装置も電話機からなり、入力信号が音声信号からなれば、通話時におけるネットワーク上のトラフィックを過大にすることがない。
【００１１】
そして、端末装置の通信対象がファクシミリ装置からなる場合には、パケットに格納するデータ量を小さくするため、端末装置もファクシミリ装置からなり、入力信号がファクシミリ信号からなれば、パケットが欠落しても、欠落するデータ量を少なく抑えることができる。
【００１２】
従って、本発明によれば、通話時におけるネットワーク上のトラフィックを過大にすることなく、高い品質の画像を再現可能にファクシミリ信号を送信できる。
また、請求項２記載の発明は、端末装置とネットワークとに接続され、該ネットワークを介した、端末装置と該端末装置の通信対象との通信を確立するネットワーク装置であって、端末装置から入力されるアナログ形式の入力信号を予め設定された第１の周期毎にデジタル形式のデータに変換する第１の変換手段と、入力信号を予め設定された、第１の周期よりも短い第２の周期毎にデジタル形式のデータに変換する第２の変換手段と、データを一定のデータ量毎にパケットに格納し、該パケットを通信対象へ送信する送信手段と、通信対象がファクシミリ装置であるか否かを判定し、ファクシミリ装置でないと判定した場合には、第１の変換手段を作動させ、ファクシミリ装置であると判定した場合には、第２の変換手段を作動させる切替手段とを備えることを特徴とする。
【００１３】
このネットワーク装置では、切替手段が、通信対象がファクシミリ装置であるか否かを判定し、ファクシミリ装置でないと判定した場合には、第１の変換手段を作動させ、第１の変換手段が、端末装置から入力されるアナログ形式の入力信号を第１の周期毎にデジタル形式のデータに変換する一方、ファクシミリ装置であると判定した場合には、第２の変換手段を作動させ、第２の変換手段が、入力信号を第１の周期よりも短い第２の周期毎にデジタル形式のデータに変換する。そして、送信手段が、データを一定のデータ量毎にパケットに格納し、通信対象へ送信する。
【００１４】
つまり、このネットワーク装置では、端末装置の通信対象がファクシミリ装置でなく電話機からなる場合には、入力信号をデータに変換する周期を短くすることがなく、データの総量が大きくなることがない。これにより、より多くのパケットを送信することがないため、端末装置も電話機からなり、入力信号が音声信号からなれば、通話時におけるネットワーク上のトラフィックを過大にすることがない。
【００１５】
そして、端末装置の通信対象がファクシミリ装置からなる場合には、入力信号をデータに変換する周期を短くして、データの総量を大きくするため、端末装置もファクシミリ装置からなり、入力信号がファクシミリ信号からなれば、パケットが欠落しても、データの総量に対して欠落したデータ量の比率を小さくできる。
【００１６】
従って、本発明によれば、通話時におけるネットワーク上のトラフィックを過大にすることなく、高い品質の画像を再現可能にファクシミリ信号を送信できる。
また、請求項３記載の発明は、端末装置とネットワークとに接続され、該ネットワークを介した、端末装置と該端末装置の通信対象との通信を確立するネットワーク装置であって、端末装置から入力されるアナログ形式の入力信号を予め設定された第１の周期毎にデジタル形式のデータに変換する第１の変換手段と、入力信号を予め設定された、第１の周期よりも短い第２の周期毎にデジタル形式のデータに変換する第２の変換手段と、データを予め指定された第１のデータ量毎にパケットに格納し、該パケットを通信対象へ送信する第１の送信手段と、データを第１のデータ量よりも小さい第２のデータ量毎にパケットに格納し、該パケットを通信対象へ送信する第２の送信手段と、通信対象がファクシミリ装置であるか否かを判定し、ファクシミリ装置でないと判定した場合には、第１の変換手段と第１の送信手段とを作動させ、ファクシミリ装置であると判定した場合には、第２の変換手段と第２の送信手段とを作動させる切替手段とを備えることを特徴とする。
【００１７】
このネットワーク装置では、切替手段が、通信対象がファクシミリ装置であるか否かを判定し、ファクシミリ装置でないと判定した場合には、第１の変換手段と第１の送信手段とを作動させ、第１の変換手段が、端末装置から入力されるアナログ形式の入力信号を第１の周期毎にデジタル形式のデータに変換し、第１の送信手段が、データを第１のデータ量毎にパケットに格納し、通信対象へ送信する一方、ファクシミリ装置であると判定した場合には、第２の変換手段と第２の送信手段とを作動させ、第２の変換手段が、入力信号を第１の周期よりも短い第２の周期毎にデジタル形式のデータに変換し、第２の送信手段が、データを第１のデータ量よりも小さい第２のデータ量毎にパケットに格納し、通信対象へ送信する。
【００１８】
つまり、このネットワーク装置では、端末装置の通信対象がファクシミリ装置でなく電話機からなる場合には、入力信号をデータに変換する周期を短くすることがなく、データの総量が大きくなることがない上、パケットに格納するデータ量を小さくすることもない。これにより、より多くのパケットを送信することがないため、端末装置も電話機からなり、入力信号が音声信号からなれば、通話時におけるネットワーク上のトラフィックを過大にすることがない。
【００１９】
そして、端末装置の通信対象がファクシミリ装置からなる場合には、入力信号をデータに変換する周期を短くして、データの総量を大きくする上、パケットに格納するデータ量を小さくするため、端末装置もファクシミリ装置からなり、入力信号がファクシミリ信号からなれば、パケットが欠落しても、データの総量に対して欠落したデータ量の比率を小さくできる上、欠落するデータ量自体を少なく抑えることができる。
【００２０】
従って、本発明によれば、通話時におけるネットワーク上のトラフィックを過大にすることなく、高い品質の画像を再現可能にファクシミリ信号を送信できる。
ところで、切替手段は、通信対象がファクシミリ装置であるか否かをどのように判定してもよく、例えば、請求項４記載のように、端末装置から入力される通信対象の宛先を示す宛先情報が、ファクシミリ装置の宛先として予め登録された登録情報と一致する場合に、通信対象がファクシミリ装置であると判定するように設定されてもよい。
【００２１】
このように切替手段が設定されていれば、ファクシミリ装置の宛先を予め登録しておくだけで、端末装置から入力される宛先情報に基づいて、通信対象がファクシミリ装置であるか否かを切替手段に判定させることができる。尚、宛先情報としては、例えば、電話番号やネットワーク上のアドレスなどが該当する。
【００２２】
また、切替手段は、例えば、請求項５記載のように、通信対象がファクシミリ装置である旨を示す指定信号を端末装置から入力された場合に、通信対象がファクシミリ装置であると判定するように設定されてもよい。
【００２３】
このように切替手段が設定されていれば、通信対象がファクシミリ装置である場合に、端末装置からネットワーク装置に指定信号を入力するだけで、通信対象がファクシミリ装置であると切替手段に判定させることができる。
【発明を実施するための最良の形態】
【００２４】
以下に本発明の実施形態を図面と共に説明する。
まず、図１は、本発明を適用したＩＰ電話アダプタ１の機能ブロック図である。
図１に示すように、ＩＰ電話アダプタ１は、ＩＰパケットの生成やＩＰパケットからのデータの抽出、ＩＰパケットのルーティング（経路制御）などの各種処理を統括して行う処理部１１と、外部のインターネット２に接続され、処理部１１からインターネット２へと送出されるＩＰパケットをＭＡＣフレームに格納し、所定の周波数帯域からなる上りの伝送信号に重畳してインターネット２へ送信する一方、インターネット２から所定の周波数帯域からなる下りの伝送信号を受信し、受信した伝送信号からＭＡＣフレームを抽出すると共に、抽出したＭＡＣフレームからＩＰパケットを抽出して、処理部１１へ送出するモデム部１２と、処理部１１から出力される表示指令に応じた表示を行う表示部１３とを備える。
【００２５】
また、ＩＰ電話アダプタ１は、パーソナルコンピュータ（ＰＣ）３やスキャナ４、プリンタ５などの複数の装置が接続された外部のローカルエリアネットワーク（ＬＡＮ）６に接続され、処理部１１からＬＡＮ６へと送出されるＩＰパケットをＭＡＣフレームに格納してＬＡＮ６へ送出する一方、ＬＡＮ６から受け取ったＭＡＣフレームからＩＰパケットを抽出して、処理部１１へ送出するインターフェイス（Ｉ／Ｆ）部１４と、外部のファクシミリ（ＦＡＸ）装置７に接続され、ＦＡＸ装置７から入力されるアナログ形式の入力信号をデジタル形式のデータに変換して処理部１１へ出力する一方、処理部１１から出力されるデジタル形式のデータをアナログ形式の出力信号に変換してＦＡＸ装置７へ出力する変換部１５と、ＦＡＸ装置７から入力されるＤＴＭＦ（Dual  Tone  Multi-Frequency）信号に基づき、ＦＡＸ装置７におけるダイヤル操作の内容を識別し、その識別結果を処理部１１へ出力する識別部１６とを備える。
【００２６】
即ち、ＩＰ電話アダプタ１は、インターネット２を介して、ＦＡＸ装置７とＦＡＸ装置７の通信対象との通信を確立するだけでなく、モデムやルータとしても機能するＩＰ電話アダプタとして構成されている。
【００２７】
尚、ＩＰ電話アダプタ１における上述の各機能ブロックはそれぞれ、ＣＰＵやＲＯＭ、ＲＡＭなどの各種素子で構成された電子回路（つまり、ハードウェア）もしくはＣＰＵによる処理（つまり、ソフトウェア）によって実現されている。
【００２８】
また、変換部１５は、入力信号をデータに変換する周期（変換周期）として、インターネット２を介した通話を効率良く行うための第１周期（例えば１２５マイクロ秒間隔）と、第１周期よりも短い第２周期（例えば６２．５マイクロ秒間隔）とが予め設定されており、これら変換周期のうち、処理部１１からの指令に応じた変換周期を選択するように構成されている。
【００２９】
また、ＦＡＸ装置７は、電話機能とＦＡＸ機能とを備えた複合機として構成されており、音声信号及びＦＡＸ信号を入力信号としてＩＰ電話アダプタ１へ入力する。
以下、処理部１１が実行する各種処理について詳述する。但し、本実施形態の処理部１１は、本発明に係る処理以外については、周知のＩＰ電話アダプタと同様の処理を実行するため、以下では、本発明に係る処理についてのみ詳述する。
【００３０】
まず、図２は、処理部１１が実行する送信処理の流れを示すフローチャートである。尚、処理部１１は、ＩＰ電話アダプタ１の電源がＯＮされ、当該処理部１１が起動したのち、他の処理と並行して本処理を実行する。
【００３１】
図２に示すように、本処理では、まず、ＦＡＸ装置７がオフフックである旨を検出するまで待機したのち（Ｓ１０）、オフフックである旨を検出すると（Ｓ１０：Ｙｅｓ）、識別部１６から入力されるＤＴＭＦ信号の識別結果が示す電話番号が、ＦＡＸ装置の電話番号として処理部１１に予め登録された電話番号と一致するか否かを判定することでＦＡＸ装置７の通信対象がＦＡＸ装置であるか否かを判定する（Ｓ１５）。
【００３２】
ここで、通信対象がＦＡＸ装置でないと判定した場合には（Ｓ１５：Ｎｏ）、通信対象が電話機であると判定して、後述の音声信号送信処理を実行したのち（Ｓ２０）、上述のＳ１０へ再度移行する。
【００３３】
一方、通信対象がＦＡＸ装置であると判定した場合には（Ｓ１５：Ｙｅｓ）、後述のＦＡＸ信号送信処理を実行したのち（Ｓ２５）、上述のＳ１０へ再度移行する。
ここで、図３は、上述の音声信号送信処理（Ｓ２０）の流れを示すフローチャートである。
【００３４】
図３に示すように、本処理では、まず、変換部１５における変換周期を第１周期に設定したのち（Ｓ１００）、変換部１５から入力されるデータを、インターネット２を介した通話を効率良く行うために予め指定された第１データ量（例えば２０ミリ秒分）毎にＩＰパケットに格納する（Ｓ１０５）。尚、処理部１１は、インターネット２を介した、ＦＡＸ装置７とＦＡＸ装置７の通信対象との通信の開始及び通信の終了を制御するＳＩＰサーバからＦＡＸ装置７の通信対象のアドレスを取得し、ＩＰパケットの送信先アドレスとして設定する。
【００３５】
そして、このＩＰパケットをモデム部１２へ送出して（Ｓ１１０）、インターネット２へ送出させたのち、ＦＡＸ装置７もしくはＦＡＸ装置７の通話対象がオンフックである旨を検出したか否かを判定する（Ｓ１１５）。
【００３６】
ここで、オンフックである旨を検出していない場合には（Ｓ１１５：Ｎｏ）、上述のＳ１０５へ再度移行する一方、オンフックである旨を検出した場合には（Ｓ１１５：Ｙｅｓ）、本処理を終了する。
【００３７】
続いて、図４は、上述のＦＡＸ信号送信処理（Ｓ２５）の流れを示すフローチャートである。
図４に示すように、本処理では、まず、変換部１５における変換周期を第２周期に設定したのち（Ｓ２００）、変換部１５から入力されるデータを第１データ量よりも小さい予め指定された第２データ量（例えば１０ミリ秒分）毎にＩＰパケットに格納する（Ｓ２０５）。尚、処理部１１は、インターネット２を介して、ＦＡＸ装置７とＦＡＸ装置７の通信対象との通信の開始及び通信の終了を制御するＳＩＰサーバからＦＡＸ装置７の通信対象のアドレスを取得し、ＩＰパケットの送信先アドレスとして設定する。
【００３８】
そして、このＩＰパケットをモデム部１２へ送出して（Ｓ２１０）、インターネット２へ送出させたのち、ＦＡＸ装置７がオンフックである旨を検出したか否かを判定する（Ｓ２１５）。
【００３９】
ここで、オンフックである旨を検出していない場合には（Ｓ２１５：Ｎｏ）、上述のＳ２０５へ再度移行する一方、オンフックである旨を検出した場合には（Ｓ２１５：Ｙｅｓ）、本処理を終了する。
【００４０】
次に、図５は、処理部１１が実行する受信処理の流れを示すフローチャートである。尚、処理部１１は、ＩＰ電話アダプタ１の電源がＯＮされ、当該処理部１１が起動したのち、他の処理と並行して本処理を実行する。
【００４１】
図５に示すように、本処理では、まず、モデム部１２からＩＰパケットを受信するまで待機したのち（Ｓ３００）、ＩＰパケットを受信すると（Ｓ３００：Ｙｅｓ）、受信したＩＰパケットに含まれている送信元アドレスが、ＦＡＸ装置のアドレスとして処理部１１に予め登録されたアドレスと一致するか否かを判定することで、ＩＰパケットの送信元がＦＡＸ装置であるか否かを判定する（Ｓ３０５）。
【００４２】
ここで、送信元がＦＡＸ装置でないと判定した場合には（Ｓ３０５：Ｎｏ）、予め設定された第１ルーティング処理を実行したのち（Ｓ３１０）、上述のＳ３００へ再度移行する。尚、この第１ルーティング処理では、ＩＰパケットに含まれている送信先アドレスがＰＣ３のアドレス（ＬＡＮ６上のローカルアドレス）と一致するか否かを判定し、ＰＣ３のアドレスと一致すると判定した場合には、ＩＰパケットをＩ／Ｆ部１４へ送出する。一方、ＰＣ３のアドレスと不一致であると判定した場合には、ＩＰパケットからデータを抽出し、変換部１５へ出力する。つまり、ＩＰパケットがＰＣ３宛でない場合には、ＩＰパケットに格納されているデータは音声データであると判定し、音声データを変換部１５へ出力する。
【００４３】
一方、Ｓ３０５にて、ＩＰパケットの送信元がＦＡＸ装置であると判定した場合には（Ｓ３０５：Ｙｅｓ）、ＩＰパケットに含まれている送信先アドレスがＰＣ３のアドレスと一致するか否かを判定する（Ｓ３１５）。
【００４４】
ここで、送信先アドレスがＰＣ３のアドレスと不一致な場合には（Ｓ３１５：Ｎｏ）、予め設定された第２ルーティング処理を実行したのち（Ｓ３２０）、上述のＳ３００へ再度移行する。尚、この第２ルーティング処理では、ＩＰパケットからデータ（つまり、ＦＡＸデータ）を抽出し、変換部１５へ出力する。
【００４５】
一方、Ｓ３１５にて、送信先アドレスがＰＣ３のアドレスと一致している場合には（Ｓ３１５：Ｙｅｓ）、ＩＰパケットからデータを抽出して、予め指定されたフォーマットの画像データに変換する（Ｓ３２５）。
【００４６】
そして、この画像データを当該処理部１１に記憶したのち（Ｓ３３０）、ＦＡＸ信号を受信した旨を表示させる指令を表示部１３へ出力し（Ｓ３３５）、上述のＳ３００へ再度移行する。
【００４７】
次に、図６は、処理部１１が実行する画像データ送信処理の流れを示すフローチャートである。尚、処理部１１は、ＰＣ３から画像データの送信を要求された際に本処理を実行する。
【００４８】
図６に示すように、本処理では、まず、当該処理部１１に記憶した画像データを読み出し（Ｓ４００）、読み出した画像データをＰＣ３宛のＩＰパケットに格納する（Ｓ４０５）。そして、このＩＰパケットをＩ／Ｆ部１４へ送出して（Ｓ４１０）、ＬＡＮ６へ送出させたのち、ＦＡＸ信号を受信した旨の表示を消去させる指令を表示部１３へ出力し（Ｓ４１５）、本処理を終了する。
【００４９】
以上のように、本実施形態のＩＰ電話アダプタ１では、ＦＡＸ装置７の通信対象がＦＡＸ装置であるか否かを判定し、ＦＡＸ装置でない場合には、ＦＡＸ装置７からの音声信号をデータに変換する周期を短くすることがなく、データの総量が大きくなることがない上、ＩＰパケットに格納するデータ量を小さくすることもない。
【００５０】
これにより、より多くのＩＰパケットを送信することがないため、通話時におけるインターネット２上のトラフィックを過大にすることがない。
そして、ＦＡＸ装置７の通信対象がＦＡＸ装置からなる場合には、ＦＡＸ信号をデータに変換する周期を短くして、データの総量を大きくする上、ＩＰパケットに格納するデータ量を小さくするため、ＩＰパケットが欠落しても、データの総量に対して欠落したデータ量の比率を小さくできる上、欠落するデータ量自体を少なく抑えることができる。
【００５１】
従って、本実施形態のＩＰ電話アダプタ１によれば、通話時におけるインターネット２上のトラフィックを過大にすることなく、高い品質の画像を再現可能にＦＡＸ信号を送信できる。
【００５２】
また、本実施形態のＩＰ電話アダプタ１では、ＦＡＸ装置７から入力される電話番号が、ＦＡＸ装置の電話番号として予め登録された電話番号と一致する場合に、ＦＡＸ装置７の通信対象がＦＡＸ装置であると判定するため、ＦＡＸ装置の電話番号を予め登録しておくだけで、ＦＡＸ装置７から入力される電話番号に基づいて、通信対象がＦＡＸ装置であるか否かを判定できる。
【００５３】
尚、本実施形態では、変換部１５が本発明における第１の変換手段及び第２の変換手段に相当し、処理部１１が実行する音声信号送信処理のＳ１０５，Ｓ１１０が本発明における第１の送信手段に相当し、処理部１１が実行するＦＡＸ信号送信処理のＳ２０５，Ｓ２１０が本発明における第２の送信手段に相当し、処理部１１が実行する送信処理のＳ１５が本発明における切替手段に相当する。
【００５４】
以上、本発明の実施の形態について説明したが、本発明は、上記実施形態に何ら限定されることはなく、本発明の技術的範囲に属する限り種々の形態をとり得ることはいうまでもない。
【００５５】
例えば、上記実施形態では、処理部１１は、送信処理のＳ１５にて、電話番号に基づき、ＦＡＸ装置７の通信対象がＦＡＸ装置であるか否かを判定したが、ＦＡＸ装置７から通信対象がＦＡＸ装置である旨の指定信号が入力されたか否かを判定することで、通信対象がＦＡＸ装置であるか否かを判定するように設定されていてもよい。この場合、ＦＡＸ装置７から指定信号を入力するだけで、通信対象がＦＡＸ装置であると処理部１１に判定させることができる。
【００５６】
また、上記実施形態では、変換部１５は、変換周期として、第１周期と第２周期とが設定され、処理部１１は、音声信号送信処理のＳ１００及びＦＡＸ信号送信処理のＳ２００で、変換周期を設定していたが、変換部１５には１つの変換周期のみを設定し、音声信号送信処理のＳ１００及びＦＡＸ信号送信処理のＳ２００を削除してもよい。この場合の変換部１５が本発明における変換手段に相当する。
【００５７】
また、上記実施形態では、処理部１１は、音声信号送信処理のＳ１０５及びＦＡＸ信号送信処理のＳ２０５にて、互いに異なるデータ量毎にデータをＩＰパケットに格納していたが、同一のデータ量毎にデータをＩＰパケットに格納するように設定されていてもよい。この場合の音声信号送信処理のＳ１０５，Ｓ１１０及びＦＡＸ信号送信処理のＳ２０５，Ｓ２１０が本発明における送信手段に相当する。
【００５８】
また、上記実施形態では、本発明をＩＰ電話アダプタに適用したが、ルータや、ラップトップ型のパーソナルコンピュータのスロットに挿入するネットワークカード、無線ネットワーク装置などの他のネットワーク装置に適用しても勿論よい。
【図面の簡単な説明】
【００５９】
【図１】本発明を適用したＩＰ電話アダプタ１の機能ブロック図である。
【図２】処理部１１が実行する送信処理の流れを示すフローチャートである。
【図３】処理部１１が実行する音声信号送信処理の流れを示すフローチャートである。
【図４】処理部１１が実行するＦＡＸ信号送信処理の流れを示すフローチャートである。
【図５】処理部１１が実行する受信処理の流れを示すフローチャートである。
【図６】処理部１１が実行する画像データ送信処理の流れを示すフローチャートである。
【符号の説明】
【００６０】
１…ＩＰ電話アダプタ、２…インターネット、３…ＰＣ、４…スキャナ、５…プリンタ、６…ＬＡＮ、７…ＦＡＸ装置、１１…処理部、１２…モデム部、１３…表示部、１４…Ｉ／Ｆ部、１５…変換部、１６…識別部。
【図１】
2005341620.tif 000003
【図２】
2005341620.tif 000004
【図３】
2005341620.tif 000005
【図４】
2005341620.tif 000006
【図５】
2005341620.tif 000007
【図６】
2005341620.tif 000008